(57)【要約】      （修正有）【課題】浴室の室温が低温の時に入浴者が浴槽の湯に浸かる際にヒートショックになるリスクの軽減を図ることができる給湯装置等を提供することにある。【解決手段】この発明に係る給湯装置２００は、浴室の室温を検出する浴室室温センサ１０１と、浴室内の浴槽の湯温設定値を記憶する湯温記憶部２０８と、浴室の室温が予め設定された基準室温以上の場合に浴槽の湯温を湯温設定値になるように調節し、浴室の室温が基準室温未満の場合に浴槽の湯温を湯温設定値より低い温度になるように調節する湯温制御部２０２と、を備える。【選択図】図２
2020190394.tif 000002
【特許請求の範囲】
【請求項１】
浴室の室温を検出する室温検出手段と、
前記浴室内の浴槽の湯温設定値を記憶する湯温記憶手段と、
前記浴室の室温が予め設定された基準室温以上の場合に前記浴槽の湯温を前記湯温設定値になるように調節し、前記浴室の室温が前記基準室温未満の場合に前記浴槽の湯温を前記湯温設定値より低い温度になるように調節する湯温調節手段と、を備えた給湯装置。
【請求項２】
入浴開始時刻を記憶する入浴開始時刻記憶手段をさらに備え、
前記湯温調節手段は、前記入浴開始時刻の前に前記浴槽の湯温を調節する請求項１に記載の給湯装置。
【請求項３】
前記浴室における入浴開始を検知する入浴検知手段と、
前記入浴検知手段の検知結果に基づいて、前記入浴開始時刻を学習する入浴学習手段と、をさらに備え、
前記入浴開始時刻記憶手段は、前記入浴学習手段が学習した前記入浴開始時刻を記憶する請求項２に記載の給湯装置。
【請求項４】
前記入浴学習手段は、同じ１日において前記入浴検知手段が入浴開始を検知した検知時刻を時刻順に並べて順位付け、過去の複数日における同じ順位の前記検知時刻の中央値を前記入浴開始時刻として学習する請求項３に記載の給湯装置。
【請求項５】
前記入浴検知手段は、前記浴室における入浴終了を検知し、
前記入浴学習手段は、前記入浴検知手段の検知結果に基づいて、前記入浴開始時刻から入浴終了時刻までの入浴時間を学習し、
前記湯温調節手段は、前記入浴時間に応じて前記浴槽の湯温を調節する請求項３又は請求項４に記載の給湯装置。
【請求項６】
前記浴槽の湯温と前記入浴時間とから入浴中の人の暖まり度合いを推定する暖まり推定手段をさらに備えた請求項５に記載の給湯装置。
【請求項７】
人の体温を検出する体温検出手段をさらに備え、
前記湯温調節手段は、前記浴室の室温が前記基準室温未満で、かつ、前記人の体温が予め設定された基準体温未満の場合に、前記浴槽の湯温を前記湯温設定値より低い温度になるように調節する請求項１から請求項６のいずれか一項に記載の給湯装置。
【請求項８】
前記湯温調節手段は、前記浴槽の湯温を前記湯温設定値より低い温度になるように調節した場合、段階的に前記浴槽の湯温を前記湯温設定値まで高くする請求項１から請求項７のいずれか一項に記載の給湯装置。
【請求項９】
前記湯温調節手段が前記浴槽の湯温を前記湯温設定値より低い温度になるように調節した場合に報知する報知手段をさらに備えた請求項１から請求項８のいずれか一項に記載の給湯装置。
【請求項１０】
請求項１から請求項９のいずれか一項に記載の給湯装置と、
居室に設けられ、前記居室の室温が目標温度となるように空気調和を行う空気調和装置と、を備え、
前記空気調和装置は、前記浴室の室温が前記基準室温未満の場合に前記目標温度を低くする給湯連携システム。
【発明の詳細な説明】
【技術分野】
【０００１】
この発明は、給湯装置及び給湯連携システムに関するものである。
【背景技術】
【０００２】
在宅者が入浴する予定の時間帯を記憶部に記憶し、入浴開始予定時刻の３０分前の時刻に浴室乾燥機に暖房運転を開始させる住宅内機器制御システムが知られている（例えば、特許文献１参照）。特許文献１には、リビング内の室内温度と浴室内の室内温度との温度差の目標値を、ヒートショックになるリスクが少ないと考えられるときの温度差に定め、この温度差が当該目標値よりも小さくなるように、エアコン及び浴室乾燥機を制御することでリビングから浴室内に移動した在宅者が、ヒートショックになるリスクを軽減することができる旨が記載されている。
【先行技術文献】
【特許文献】
【０００３】
【特許文献１】特開２０１７−０４２２７５号公報
【発明の概要】
【発明が解決しようとする課題】
【０００４】
しかしながら、特許文献１に示されるようなシステムにおいては、浴室内の室温とリビングの室温の両方が低い場合、浴室内の室温と浴槽の湯温との温度差が大きくなる。そして、入浴者が比較的に低温の浴室内から比較的に高温の浴槽の湯に浸かることで、入浴者の体温が急激に変化しヒートショックになるリスクがある。
【０００５】
この発明は、このような課題を解決するためになされたものである。その目的は、浴室の室温が低温の時に入浴者が浴槽の湯に浸かる際にヒートショックになるリスクの軽減を図ることができる給湯装置及び給湯連携システムを提供することにある。
【課題を解決するための手段】
【０００６】
この発明に係る給湯装置は、浴室の室温を検出する室温検出手段と、前記浴室内の浴槽の湯温設定値を記憶する湯温記憶手段と、前記浴室の室温が予め設定された基準室温以上の場合に前記浴槽の湯温を前記湯温設定値になるように調節し、前記浴室の室温が前記基準室温未満の場合に前記浴槽の湯温を前記湯温設定値より低い温度になるように調節する湯温調節手段と、を備えた給湯装置。
【０００７】
この発明に係る給湯連携システムは、上記のように構成された給湯装置と、居室に設けられ、前記居室の室温が目標温度となるように空気調和を行う空気調和装置と、を備え、前記空気調和装置は、前記浴室の室温が前記基準室温未満の場合に前記目標温度を低くする。
【発明の効果】
【０００８】
この発明に係る給湯装置及び給湯連携システムによれば、浴室の室温が低温の時に入浴者が浴槽の湯に浸かる際にヒートショックになるリスクの軽減を図ることができるという効果を奏する。
【図面の簡単な説明】
【０００９】
【図１】この発明の実施の形態１に係る給湯装置の全体構成を模式的に示す図である。
【図２】この発明の実施の形態１に係る給湯装置の機能的構成を示すブロック図である。
【図３】この発明の実施の形態１に係る給湯装置の入浴開始時刻の学習方法を説明する図である。
【図４】この発明の実施の形態１に係る給湯装置の体の暖まり度合いが十分であると見なす湯温と入浴時間の関係を示した図である。
【図５】この発明の実施の形態１に係る給湯装置の動作例を示すフロー図である。
【図６】この発明の実施の形態１に係る給湯装置の動作例を示すフロー図である。
【図７】この発明の実施の形態１に係る給湯装置の動作例を示すフロー図である。
【図８】この発明の実施の形態１に係る給湯装置の動作例を示すフロー図である。
【図９】この発明の実施の形態１に係る給湯装置の動作例を示すフロー図である。
【図１０】この発明の実施の形態１に係る給湯装置の動作例を示すフロー図である。
【図１１】この発明の実施の形態１に係る給湯装置の動作例を示すフロー図である。
【図１２】この発明の実施の形態１に係る給湯装置の動作例を示すフロー図である。
【図１３】この発明の実施の形態２に係る給湯装置を備えた給湯連携システムの全体構成を模式的に示す図である。
【図１４】この発明の実施の形態２に係る給湯装置を備えた給湯連携システムの機能的構成を示すブロック図である。
【図１５】この発明の実施の形態２に係る給湯装置を備えた給湯連携システムの動作例を示すフロー図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図１２を参照しながら、この発明の実施の形態１について説明する。図１は給湯装置の全体構成を模式的に示す図である。図２は給湯装置の機能的構成を示すブロック図である。図３は給湯装置の入浴開始時刻の学習方法を説明する図である。図４は給湯装置の体の暖まり度合いが十分であると見なす湯温と入浴時間の関係を示した図である。そして、図５から図１２は給湯装置の動作例を示すフロー図である。
【００１２】
この実施の形態に係る給湯装置２００は、浴槽１１に湯を供給する装置である。図１に示すように、浴槽１１は浴室１０内に設置されている。浴室１０は、使用者が入浴を行う部屋である。浴室１０には、浴室暖房機１００が設置されている。浴室暖房機１００は、浴室１０の暖房を行う装置である。浴室暖房機１００は、例えば、図１に示すように、浴室１０の天井部分における浴槽１１の上方に配置されている。
【００１３】
浴室暖房機１００は、温風を吹き出す暖房運転及び常温の風を吹き出す送風運転等を実行可能である。また、浴室暖房機１００は、浴室１０の内部から外部への排気を行う機能を有している。浴室暖房機１００は、ファン１２１、吹出口１２２及び排気口１２３を有している。ファン１２１は風を生成するためものである。吹出口１２２は、ファン１２１により生成された風を浴室１０へ吹き出すための開口である。排気口１２３は、上述の排気を行うための開口である。なお、浴室暖房機１００は、例えば、さらに冷風を吹き出す機能を有する浴室空調機でもよい。
【００１４】
浴槽１１には、図１に示すように、追い焚き配管２２０を介して、給湯装置２００が接続されている。給湯装置２００は、例えばヒートポンプユニット又は電気式温水器等を有している。追い焚き配管２２０は、浴槽１１内の水を、当該浴槽１１と給湯装置２００との間で循環させるための配管である。追い焚き配管２２０には、図示しないポンプが設けられている。このポンプが駆動することで、浴槽１１内と、追い焚き配管２２０内と、給湯装置２００内とを水が循環する。
【００１５】
給湯装置２００は、追い焚き配管２２０を介して浴槽１１から当該給湯装置２００へ導かれた水を加熱する。給湯装置２００は、加熱した水を追い焚き配管２２０を介して浴槽１１へ供給する。なお、給湯装置２００は、浴槽１１から当該給湯装置２００へ導かれた水を、加熱した後に一度貯留してもよい。給湯装置２００は、当該給湯装置２００に貯留された温水（湯）を浴槽１１へ供給してもよい。給湯装置２００は、即湯式の装置であってもよいし、貯湯式の装置であってもよい。
【００１６】
また、浴室１０には、操作表示部２３０が設けられている。この操作表示部２３０は、使用者が給湯装置２００を操作するためのものである。一例として、操作表示部２３０は、浴室１０の壁に取り付けられている。操作表示部２３０は、浴室１０の壁から着脱自在な無線通信端末等であってもよい。
【００１７】
浴室１０に設けられた操作表示部２３０は、無線又は有線によって、給湯装置２００と通信可能に接続されている。操作表示部２３０は、給湯装置２００の状態を表示する液晶画面等の表示部と、給湯装置２００を操作するためのボタン等の操作部と、を有している。なお、操作表示部２３０は、表示部と操作部とを兼ねるタッチパネルを備えてもよい。また、操作表示部２３０は、浴室暖房機１００を操作するための構成部品及び機能を有していてもよい。
【００１８】
図１に示すように、浴室１０に隣接して脱衣室２０が設けられている。脱衣室２０は、入浴者が、入浴前に脱衣し、出浴後に着衣するための部屋である。入浴者は、脱衣室２０から浴室１０に入退室する。
【００１９】
次に、図２も参照しながら、この実施の形態の浴室暖房機１００及び給湯装置２００の構成について説明を続ける。同図に示すように、浴室暖房機１００は、暖房機通信部１１０を備えている。また、給湯装置２００は、給湯装置通信部２１０を備えている。浴室暖房機１００及び給湯装置２００は、暖房機通信部１１０及び給湯装置通信部２１０を介して、有線方式又は無線方式により相互に通信可能である。
【００２０】
同図に示すように、浴室暖房機１００は、さらに、浴室室温センサ１０１及び暖房機制御部１０２を備えている。浴室室温センサ１０１は、浴室１０の室温を検出する室温検出手段である。浴室室温センサ１０１は、浴室１０の室温を検出できるように、例えば浴室１０の内部に設置される。暖房機制御部１０２は、浴室室温センサ１０１が検出した浴室１０の室温に応じて、浴室暖房機１００の暖房動作及び送風動作を制御する。
【００２１】
また、暖房機通信部１１０は、浴室室温センサ１０１が検出した浴室１０の室温を給湯装置２００に送信する。給湯装置２００の給湯装置通信部２１０は、浴室暖房機１００から送信された浴室１０の室温を受信する。
【００２２】
同図に示すように、給湯装置２００は、さらに、湯温センサ２０１、湯温制御部２０２、暖まり推定部２０３、入浴学習部２０４、報知制御部２０５、浸漬検出部２０６、入浴検知部２０７、湯温記憶部２０８、入浴開始時刻記憶部２０９及び体温センサ２３１を備えている。
【００２３】
前述した操作表示部２３０を操作することで、給湯装置２００から浴槽１１に供給する湯の温度を設定できる。この給湯装置２００から浴槽１１に供給する湯の温度の設定値である湯温設定値は、湯温記憶部２０８に記憶される。すなわち、湯温記憶部２０８は、浴室１０内の浴槽１１の湯温設定値を記憶する湯温記憶手段である。
【００２４】
湯温制御部２０２は、浴槽１１の湯温を調節する湯温調節手段である。すなわち、湯温制御部２０２は、給湯装置２００による水の加熱を制御することで、給湯装置２００から浴槽１１に供給する湯の温度が目標とする湯温となるように調節する。湯温制御部２０２は、浴槽１１の湯温を調節する際、湯温記憶部２０８に記憶されている湯温設定値と、給湯装置通信部２１０が受信した浴室１０の室温とを参照する。
【００２５】
そして、浴室１０の室温が予め設定された基準室温以上の場合には、湯温制御部２０２は、目標とする湯温を前述した湯温設定値とする。すなわち、湯温制御部２０２は、浴室１０の室温が前述した基準室温以上の場合、浴槽１１の湯温を前述した湯温設定値になるように調節する。一方、浴室１０の室温が前述した基準室温未満の場合には、湯温制御部２０２は、目標とする湯温を前述した湯温設定値より低い温度にする。すなわち、浴室１０の室温が前述した基準室温未満の場合、湯温制御部２０２は、浴槽１１の湯温を湯温設定値より低い温度になるように調節する。なお、基準室温は、具体的に例えば１８℃に設定する。
【００２６】
このようにすることで、浴室１０の室温が低温の時に、浴室１０の室温と浴槽１１の湯温との温度差を小さくできる。このため、浴室１０の室温が低温の時に入浴者が浴槽１１の湯に浸かる際にヒートショックになるリスクの軽減を図ることが可能である。
【００２７】
湯温センサ２０１は、浴槽１１の湯温を検出するセンサである。湯温制御部２０２は、湯温センサ２０１が検出した浴槽１１の湯温を確認しながら、浴槽１１の湯温が目標とする湯温になるように、給湯装置２００による水の加熱を制御する。
【００２８】
報知制御部２０５は、例えば操作表示部２３０の液晶ディスプレイ等による報知動作を制御する。報知制御部２０５は、湯温制御部２０２が浴槽１１の湯温を湯温記憶部２０８に記憶されている湯温設定値より低い温度になるように調節した場合に、その旨のメッセージを操作表示部２３０の液晶ディスプレイに表示させる。以上のように構成された報知制御部２０５及び操作表示部２３０は、湯温制御部２０２が浴槽１１の湯温を湯温記憶部２０８に記憶されている湯温設定値より低い温度になるように調節した場合に報知する報知手段である。
【００２９】
このようにすることで、給湯装置２００の制御により、入浴者は操作表示部２３０等で設置した湯温よりも浴槽１１の湯温が低くなっていることを知ることができる。このため、設置した湯温と浴槽１１の湯温が異なる状態が給湯装置２００の異常によるものであると誤認してしまうことを抑制できる。また、入浴者にヒートショックが起こりやすい状況であることを知らせて注意を喚起できる。
【００３０】
なお、この報知手段による報知の態様は、ここで説明した操作表示部２３０の液晶ディスプレイへのメッセージの表示に限られない。他に例えば、ＬＥＤ等のランプを点灯、点滅等させることで報知してもよいし、スピーカで音声メッセージを鳴動させることで報知してもよい。
【００３１】
入浴開始時刻記憶部２０９は、浴室１０における入浴開始時刻を記憶する入浴開始時刻記憶手段である。入浴開始時刻記憶部２０９が記憶する入浴開始時刻は、例えば、入浴者が操作表示部２３０を操作して予め入力しておく。または、入浴開始時刻記憶部２０９は、後述する入浴学習部２０４による学習結果として得られる入浴開始時刻を記憶する。
【００３２】
そして、前述した湯温調節手段である湯温制御部２０２は、入浴開始時刻記憶部２０９が記憶する入浴開始時刻の前に浴槽１１の湯温を調節するようにしてもよい。このようにすることで、入浴開始前に浴室１０の室温と浴槽１１の湯温との温度差を小さくしておくことができ、入浴者が浴槽１１の湯に浸かる際にヒートショックになるリスクのさらなる軽減を図ることができる。
【００３３】
浸漬検出部２０６は、浴槽１１内の湯に入っている入浴者が湯に浸かっている量を検出する。例えば、浸漬検出部２０６は、浴槽１１の水位を検出する水位センサを有している。そして、浸漬検出部２０６は、浴槽１１内に人がいない時の水位と浴槽１１内に人がいる時の水位との差から、浴槽１１内の湯に入っている入浴者が湯に浸かっている量を求める。この際、例えば操作表示部２３０等を操作して予め入力しておいた入浴者の身長及び体重から当該入浴者の体表面積を算出し、この体表面積を浴槽１１内の湯に入っている入浴者が湯に浸かっている量に反映してもよい。
【００３４】
入浴検知部２０７は、浴室１０における入浴開始を検知する入浴検知手段である。入浴検知部２０７は、例えば、浸漬検出部２０６の検出結果から入浴者が浴槽１１内の湯に入っていることが検出された時に、浴室１０における入浴開始を検知する。また、浴槽１１内の人の有無を検出する赤外線センサ、超音波センサ等の人感センサを設け、人が浴槽１１内に入ったことをこの人感センサが検出した時に、浴室１０における入浴開始を入浴検知部２０７が検知してもよい。他に例えば、浴室１０及び脱衣室２０に赤外線センサ、超音波センサ等の人感センサを設け、脱衣室２０内の人が浴室１０内に移動したことが検出された時に、浴室１０における入浴開始を入浴検知部２０７が検知してもよい。
【００３５】
また、この実施の形態の入浴検知部２０７は、浴室１０における入浴終了も検知する。入浴終了の検知は、前述した入浴開始の検知と逆である。すなわち、入浴検知部２０７は、例えば、浸漬検出部２０６の検出結果から入浴者が浴槽１１内の湯から出たことが検出された時に、浴室１０における入浴終了を検知する。また、浴槽１１内の人の有無を検出する人感センサを設け、人が浴槽１１内から出たことを人感センサが検出した時に、浴室１０における入浴終了始を入浴検知部２０７が検知してもよい。この際、入浴の途中で身体、頭髪の洗浄等のために一旦浴槽１１から出る場合を考慮し、人が浴槽１１内から出てから再び浴槽１１内に入るまでの時間が基準値より短い場合には、入浴を継続していると判断して入浴終了を検知しないようにするとよい。他に例えば、浴室１０及び脱衣室２０に赤外線センサ、超音波センサ等の人感センサを設け、浴室１０内の人が脱衣室２０内に移動したことが検出された時に、浴室１０における入浴終了を入浴検知部２０７が検知してもよい。
【００３６】
入浴学習部２０４は、入浴検知部２０７の検知結果に基づいて、前述した入浴開始時刻を学習する入浴学習手段である。入浴学習部２０４は、例えば過去の複数日にわたって入浴検知部２０７が入浴開始を検知した時刻を用いて、前述した入浴開始時刻を学習する。
【００３７】
入浴学習部２０４による入浴開始時刻を学習方法の一例について、図３を参照しながら説明する。入浴学習部２０４は、まず、同じ１日において入浴検知部２０７が入浴開始を検知した検知時刻を時刻順に並べて順位付ける。図３に示す、「１人目」、「２人目」、「３人目」というのが、その順位付けである。そして、入浴学習部２０４は、過去の複数日における同じ順位の前述した検知時刻を用いて、それぞれの順位毎に入浴開始時刻を求める。このようにすることで、同じ１日に複数人が入浴する場合に、個人毎の入浴開始時刻を学習できる。また、この際、入浴学習部２０４は、過去の複数日における同じ順位の検知時刻の中央値を入浴開始時刻として学習するとよい。このようにすることで、旅行、外出、出張、外泊時等のイレギュラーな入浴時刻に入浴開始時刻の学習結果が左右されにくくできる。
【００３８】
さらに、同図の「３日目」に示すように１日の入浴入数が他の日より少ない場合、検知時刻の時間帯を考慮して、他の日に同じ時間帯での検知時刻が存在するときには、順位を繰り下げ、又は、繰り上げるようにしてもよい。同図の「３日目」の例では、「２人目」の検知時刻の時間帯は、他の日における「３人目」の検知時刻の時間帯に近い。そこで、「３日目」の「２人目」の検知時刻は、「３人目」に順位を繰り下げて入浴開始時刻の学習を行う。なお、１日に１回しか入浴しない場合であれば、浴槽１１に湯張りを行った時刻から入浴開始時刻を学習してもよい。
【００３９】
また、入浴学習部２０４は、入浴検知部２０７が入浴終了を検知した時刻を用いて、入浴終了時刻を特定する。この入浴終了時刻の特定は、前述した入浴開始時刻の学習と同様の方法で行うことができる。そして、入浴学習部２０４は、入浴検知部２０７の検知結果に基づいて、入浴時間を学習する。入浴時間とは、前述した入浴開始時刻から前述した入浴終了時刻までの１回当たりの入浴継続時間である。
【００４０】
入浴開始時刻記憶部２０９は、以上のようにして入浴学習部２０４が学習した入浴開始時刻を記憶する。そして、前述したように、湯温制御部２０２は、入浴開始時刻記憶部２０９が記憶する入浴開始時刻の前に浴槽１１の湯温を調節する。したがって、湯温制御部２０２は、入浴学習部２０４が学習した入浴開始時刻に基づいて、浴槽１１の湯温を調節することになる。このようにすることで、入浴者が操作表示部２３０等で入浴開始時刻を入力しなくとも、入浴者の生活パターンに合わせて湯温を調節できる。
【００４１】
湯温制御部２０２は、入浴学習部２０４が学習した入浴時間に応じて浴槽１１の湯温を調節してもよい。入浴時間に応じた湯温調節の例について、図４を参照しながら説明する。図４に示すのは、人が十分に暖まったと見なせる湯温と入浴時間との関係の一例である。なお、入浴により深部体温が１℃上昇した場合に人が十分に暖まったと見なせると一般的にいわれている。湯温制御部２０２は、次の入浴開始時刻になる前に、入浴学習部２０４が学習した入浴時間に対応する湯温を図４に示す関係から特定する。そして、湯温制御部２０２は、特定した湯温を目標の湯温とする。
【００４２】
暖まり推定部２０３は、浴槽１１の湯温と入浴時間とから入浴中の人の暖まり度合いを推定する暖まり推定手段である。浴槽１１の湯温は、例えば、湯温センサ２０１の検出結果から取得できる。または、湯温制御部２０２から浴槽１１の湯温を取得してもよい。入浴時間は、例えば、入浴検知部２０７が入浴開始を検知してからの経過時間を計時することで得られる。
【００４３】
そして、暖まり推定部２０３は、例えば、図４に示すような人が十分に暖まったと見なせる湯温と入浴時間との関係から、人の暖まり度合いを推定する。すなわち、暖まり推定部２０３は、まず、湯温センサ２０１の検出結果等から得た浴槽１１の湯温を図４に示す関係に当てはめ、当該湯温において人が十分に暖まったと見なせる推奨入浴時間を特定する。そして、入浴時間がこの推奨入浴時間に達していれば、入浴中の人の暖まり度合いは十分であると暖まり推定部２０３は推定する。また、入浴時間がこの推奨入浴時間に達していなければ、入浴中の人の暖まり度合いは不十分であると暖まり推定部２０３は推定する。なお、入浴時間が推奨入浴時間よりも一定時間以上超過している場合には、暖まり推定部２０３は、入浴中の人の暖まり度合いが暖まり過ぎであり「のぼせ」の可能性があると推定してもよい。
【００４４】
報知制御部２０５は、暖まり推定部２０３による暖まり度合いの推定結果を操作表示部２３０の液晶ディスプレイに表示させてもよい。また、暖まり度合いが十分な入浴時間に達した時等に、報知制御部２０５は、ランプ点灯、スピーカ鳴動等による報知を行わせてもよい。
【００４５】
体温センサ２３１は、浴室１０で入浴している人の体温を検出する体温検出手段である。図１に示すように、体温センサ２３１は、例えば操作表示部２３０に設けられている。体温センサ２３１は、例えば赤外線センサをアレイ状に配置させたサーモパイルを含む。サーモパイルは、マトリクス状に表面温度を検出することができる。サーモパイルを含む生体センサ１１１は、人の皮膚温、体温を非接触で検出することができる。また、体温センサ２３１は、入浴者が身につけるウェアラブルセンサであってもよい。
【００４６】
湯温制御部２０２は、浴室１０の室温が前述した基準室温未満の場合、さらに体温センサ２３１が検出した人の体温が予め設定された基準体温未満の場合に、浴槽１１の湯温を湯温記憶部２０８に記憶されている湯温設定値より低い温度になるように調節してもよい。このようにすることで、浴室１０内の空気が冷えている場合であっても、入浴者の体が十分に暖まっていれば、浴槽１１の湯温を下げることなく当初の設定湯温通りにできる。なお、基準体温は例えば３６℃に設定する。
【００４７】
なお、湯温制御部２０２は、浴槽１１の湯温を湯温記憶部２０８に記憶されている湯温設定値より低い温度になるように調節した場合、その後に、段階的に浴槽１１の湯温を湯温記憶部２０８に記憶されている湯温設定値まで高くしてもよい。このようにすることで、入浴後の入浴者の体温上昇に合わせて入浴者への負荷を小さく抑えつつ、湯温を当初の湯温設定値まで高くできる。この際、体温センサ２３１が検出した入浴者の体温を考慮して、湯温が入浴者の体温より例えば＋２℃以内になるようにしてもよい。
【００４８】
前述したように、操作表示部２３０を操作することで、給湯装置２００から浴槽１１に供給する湯の温度を設定できる。この湯温の設定については、具体的な数値で温度を指定してもよいし、「ぬるめ」、「熱め」、「熱い」等の複数のランクから選択できるようにしてもよい。「ぬるめ」、「熱め」、「熱い」等の複数のランクから選択する場合、これらのランクに対応する具体的な温度は、固定されていてもよいし、体温センサ２３１が検出した入浴者の体温に応じて変更されるようにしてもよい。
【００４９】
具体的に例えば、入浴者の体温が３５．０〜３５．９℃の場合、「ぬるめ」なら湯温を３７℃に、「熱め」なら湯温を３９℃に、「熱い」なら湯温を４０℃に設定する。また、入浴者の体温が３６．０〜３６．９℃の場合、「ぬるめ」なら湯温を３８℃に、「熱め」なら湯温を４０℃に、「熱い」なら湯温を４１℃に設定する。そして、入浴者の体温が３７．０〜３７．９℃の場合、「ぬるめ」なら湯温を３９℃に、「熱め」なら湯温を４１℃に、「熱い」なら湯温を４２℃に設定する。
【００５０】
なお、ここで説明した構成例では、浴室１０に浴室暖房機１００が備えられている。このため、浴室暖房機１００の浴室室温センサ１０１を利用した。しかしながら、浴室室温センサ１０１は、浴室暖房機１００でなく給湯装置２００が備えていてもよい。給湯装置２００が浴室室温センサ１０１を備える場合でも、浴室室温センサ１０１は、浴室１０の室温を検出できるように浴室１０の内部に設置される。
【００５１】
次に、図５から図１２を参照しながら、以上のように構成された給湯装置２００のいくつかの動作例を説明する。図５のフロー図は、入浴が１回行われる際の給湯装置２００の動作の一例を示すものである。まず、ステップＳ１１において、入浴検知部２０７が浴室１０において入浴が開始されたことを検知すると、処理はステップＳ１２へと進む。
【００５２】
ステップＳ１２においては、入浴学習部２０４は、入浴検知部２０７が入浴開始を検知した時刻を入浴開始時刻として保存する。ステップＳ１２の後、処理はステップＳ１３へと進む。ステップＳ１３においては、湯温制御部２０２は、体温センサ２３１が検出した入浴前の入浴者の体温が前述した基準体温未満であるか否かを確認する。入浴者の体温が基準体温未満の場合、処理はステップＳ１４へと進む。
【００５３】
ステップＳ１４においては、湯温制御部２０２は、浴槽１１の湯温を湯温記憶部２０８に記憶されている湯温設定値より低い温度になるように調節した後、段階的に浴槽１１の湯温が高くなるように調節する。ステップＳ１４の後、処理はステップＳ１５へと進む。また、ステップＳ１３で入浴者の体温が基準体温以上の場合、処理はステップＳ１４を経ることなくステップＳ１５へと進む。
【００５４】
ステップＳ１５で、入浴検知部２０７が出浴、すなわち浴室１０において入浴が終了したことを検知すると、処理はステップＳ１６へと進む。ステップＳ１６においては、入浴学習部２０４は、入浴検知部２０７が入浴終了を検知した時刻を入浴終了時刻として保存する。ステップＳ１６の処理が完了すると、一連の動作は終了となる。
【００５５】
次に、図６のフロー図は、入浴学習部２０４の学習時の処理を示すものである。まず、ステップＳ２１において、入浴学習部２０４は、１日において予め設定された学習処理開始時刻となったか否かを確認する。学習処理開始時刻は、入浴の少ない時間帯（例えば深夜、未明等）に設定するとよい。そして、学習処理開始時刻になれば、処理はステップＳ２２へと進む。
【００５６】
ステップＳ２２においては、入浴学習部２０４は、保存されている過去の各入浴の入浴開始時刻から、各入浴の入浴開始時刻を学習する。続くステップＳ２３において、入浴学習部２０４は、保存されている過去の各入浴の入浴終了時刻から、各入浴の入浴終了時刻を特定する。そして、入浴学習部２０４は、各入浴の入浴開始時刻及び入浴終了時刻から、各入浴の入浴時間を学習する。
【００５７】
続くステップＳ２４において、給湯装置通信部２１０は、ステップＳ２２で学習した入浴開始時刻を浴室暖房機１００に送信する。給湯装置２００から送信された入浴開始時刻を暖房機通信部１１０が受信すると、暖房機制御部１０２は、受信した入浴開始時刻から一定時間（Ｎ分、例えば１０分）前を事前暖房開始時刻として設定する。ステップＳ２４が完了すると、一連の処理は終了となる。
【００５８】
図７のフロー図は、入浴の事前における暖房制御及び湯温制御の動作例を示すものである。まず、ステップＳ３１において、暖房機制御部１０２は、図６のステップＳ２４で設定された事前暖房開始時刻を経過したか否かを確認する。事前暖房開始時刻を経過していれば、処理はステップＳ３２へと進む。
【００５９】
ステップＳ３２においては、浴室室温センサ１０１により検出された浴室１０の室温が前述した基準室温未満であるか否かを確認する。浴室１０の室温が基準室温未満であれば処理はステップＳ３３へと進む。ステップＳ３３においては、暖房機制御部１０２による制御の下、浴室暖房機１００は浴室１０の暖房を実施する。そして、続くステップＳ３４において、湯温制御部２０２は、体温センサ２３１により検出された入浴者の体温に応じて、浴槽１１の湯温を制御する。ステップＳ３４の処理が完了すると、一連の動作は終了となる。
【００６０】
図８のフロー図は、入浴と入浴の間における湯温制御の動作例を示すものである。まず、ステップＳ４１において、湯温制御部２０２は、浴槽１１に湯張りがされているか否か、すなわち、浴槽１１に湯が一定水位以上あるか否かを確認する。そして、浴槽１１が湯張りされていれば、処理はステップＳ４２へと進む。
【００６１】
ステップＳ４２においては、湯温制御部２０２は、入浴開始時刻記憶部２０９に記憶されている次の入浴開始時刻の一定時間（Ｍ分、例えば１０分）前であるか否かを確認する。そして、次の入浴開始時刻の一定時間（Ｍ分）前になれば、処理はステップＳ４３へと進む。ステップＳ４３においては、湯温制御部２０２は、次の入浴開始時刻に合わせて浴槽１１の湯温の制御を行う。ステップＳ４３の処理が完了すると、一連の動作は終了となる。
【００６２】
図９から図１２のフロー図は、報知制御部２０５による各種の報知制御動作を示すものである。まず、図９は、入浴の事前に暖房制御及び湯温制御を行った旨を報知する際の動作を示すものである。ステップＳ５１において、報知制御部２０５は、図７に示す事前暖房制御及び事前湯温制御が行われたか否かを確認する。そして、これら事前制御が行われれば、処理はステップＳ５２へと進む。ステップＳ５２においては、報知制御部２０５は、入浴の事前に浴室暖房機１００の暖房制御、給湯装置２００の湯温制御が行われたことを報知させる。ステップＳ５２の処理が完了すると、一連の動作は終了となる。
【００６３】
図１０は、入浴開始時にヒートショックの可能性について注意喚起する報知の動作を示すものである。ステップＳ６１において、報知制御部２０５は、入浴開始時刻記憶部２０９に記憶されている入浴開始時刻になったか否かを確認する。そして、入浴開始時刻になれば処理はステップＳ６２へと進む。
【００６４】
ステップＳ６２においては、報知制御部２０５は、体温センサ２３１が検出した入浴者の入浴前の体温と、浴室室温センサ１０１が検出した浴室１０の室温との温度差が、予め設定された基準温度差以上であるか否かを確認する。基準温度差は、例えば１０℃に設定する。そして、この温度差が基準温度差以上であれば、処理はステップＳ６３へと進む。
【００６５】
ステップＳ６３においては、報知制御部２０５は、ヒートショックの可能性について注意喚起する報知を行わせる。また、併せて、低温のシャワーを浴びることでヒートショックの予防に繋がること等のアドバイスを報知させてもよい。ステップＳ６３の処理が完了すると、一連の動作は終了となる。
【００６６】
図１１は、入浴時における体の暖まり度合いを入浴者に報知する動作を示すものである。ステップＳ７１において、入浴検知部２０７が入浴開始を検知すると処理はステップＳ７２へと進む。ステップＳ７２においては、報知制御部２０５は、暖まり推定部２０３により推定された入浴者の体の暖まり度合いを確認する。この動作例では、暖まり推定部２０３は、入浴者の体の暖まり度合いを次の（１）式により推定する。
【００６７】
（体の暖まり度合い）＝α×（湯温）×（入浴時間）  ・・・  （１）
【００６８】
ここで、αは入浴者の入浴前の体温により定まる係数である。係数αは、入浴者の入浴前の体温が低いほど大きい値をとり、逆に入浴者の入浴前の体温が高いほど小さい値をとる。報知制御部２０５は、暖まり推定部２０３により（１）式を用いて推定された入浴者の体の暖まり度合いが予め設定された基準値以上であるか否かを確認する。そして、入浴者の体の暖まり度合いが基準値以上である場合、処理はステップＳ７３へと進む。
【００６９】
ステップＳ７３においては、報知制御部２０５は、入浴者の体が暖まりつつあり、暖まり度合いが十分であることを報知させ、入浴者に出浴を促す。ステップＳ７３の処理が完了すると、一連の動作は終了となる。
【００７０】
図１２は、出浴時における体の暖まり度合いを入浴者に報知する動作を示すものである。ステップＳ８１において、入浴検知部２０７が出浴すなわち入浴終了を検知すると処理はステップＳ８２へと進む。ステップＳ８２においては、報知制御部２０５は、暖まり推定部２０３により推定された入浴者の体の暖まり度合いを確認する。この動作例でも、図１１の場合と同じく、暖まり推定部２０３は、入浴者の体の暖まり度合いを上記（１）式により推定する。
【００７１】
報知制御部２０５は、暖まり推定部２０３により（１）式を用いて推定された入浴者の体の暖まり度合いが予め設定された基準値以下であるか否かを確認する。そして、入浴者の体の暖まり度合いが基準値以下である場合、処理はステップＳ８３へと進む。
【００７２】
ステップＳ８３においては、報知制御部２０５は、入浴者の体が暖まっていない可能性があるため、ヒートショック、湯ざめ等への注意喚起を行う報知をさせる。また、報知制御部２０５は、入浴者の体の暖まり度合いが不十分であることを併せて報知させ、入浴の継続を促してもよい。ステップＳ８３の処理が完了すると、一連の動作は終了となる。
【００７３】
実施の形態２．
図１３から図１５を参照しながら、この発明の実施の形態２について説明する。図１３は給湯装置を備えた給湯連携システムの全体構成を模式的に示す図である。図１４は給湯装置を備えた給湯連携システムの機能的構成を示すブロック図である。そして、図１５は給湯装置を備えた給湯連携システムの動作例を示すフロー図である。
【００７４】
ここで説明する実施の形態２は、前述した実施の形態１の給湯装置と居室に設置された空気調和装置とが連携して動作する給湯連携システムである。以下、この実施の形態２に係る給湯連携システムについて、実施の形態１との相違点を中心に説明する。説明を省略した構成については実施の形態１と基本的に同様である。
【００７５】
この実施の形態に係る給湯連携システムは、図１３に示すように、浴室暖房機１００及び給湯装置２００に加え、居室空調機３００を備えている。居室空調機３００は、居室３０に設けられる。居室３０は、人が普段活動する例えばリビング、ダイニング、子供部屋等の部屋である。居室３０は、例えば、図１３に示すように、他の部屋又は廊下等を介して、脱衣室２０につながっている。居室空調機３００は、居室３０の空気調和を行う空気調和装置である。居室空調機３００は、温風を吹き出す暖房運転、冷風を吹き出す冷房運転及び常温の風を吹き出す送風運転等を実行可能である。
【００７６】
居室３０には、空調機操作部３２０が設けられている。空調機操作部３２０は、使用者が居室空調機３００を操作するためのものである。空調機操作部３２０は、無線又は有線によって、居室空調機３００と通信可能に接続されている。空調機操作部３２０は、居室空調機３００の状態を表示する液晶画面等の表示部と、居室空調機３００を操作するためのボタン等の操作部と、を有している。使用者は、空調機操作部３２０を操作することで、居室空調機３００による空気調和の目標とする居室３０の室温である目標温度を設定できる。なお、空調機操作部３２０は、表示部と操作部とを兼ねるタッチパネルを備えてもよい。
【００７７】
次に、図１４も参照しながら、この実施の形態の給湯連携システムの構成について説明を続ける。同図に示すように、居室空調機３００は、空調機通信部３１０を備えている。居室空調機３００及び浴室暖房機１００は、空調機通信部３１０及び暖房機通信部１１０を介して、有線方式又は無線方式により相互に通信可能である。また、居室空調機３００及び給湯装置２００は、空調機通信部３１０及び給湯装置通信部２１０を介して、有線方式又は無線方式により相互に通信可能である。
【００７８】
居室空調機３００は、前述した空調機通信部３１０及び空調機操作部３２０に加えて、居室室温センサ３０１及び空調機制御部３０２を備えている。居室室温センサ３０１は、居室３０の室温を検出する室温検出手段である。居室室温センサ３０１は、居室３０の室温を検出できるように、例えば居室３０の内部に設置される。
【００７９】
空調機制御部３０２は、居室室温センサ３０１が検出した居室３０の室温に応じて、居室３０の室温が前述した目標温度となるように居室空調機３００の暖房運転、冷房運転及び送風運転等を制御する。これにより、居室空調機３００は、居室３０の室温が目標温度となるように空気調和を行う。
【００８０】
この実施の形態においては、暖房機通信部１１０は、浴室室温センサ１０１が検出した浴室１０の室温を給湯装置２００だけでなく居室空調機３００にも送信する。居室空調機３００の空調機通信部３１０は、浴室暖房機１００から送信された浴室１０の室温を受信する。空調機制御部３０２は、居室空調機３００の運転を制御するにあたり、空調機通信部３１０が受信した浴室１０の室温を参照する。そして、浴室１０の室温が実施の形態１で前述した基準室温未満の場合には、空調機制御部３０２は、前述の目標温度を低くする。
【００８１】
このようにすることで、浴室１０の室温が低温の時に、浴室１０の室温と居室３０の室温との温度差を小さくできる。このため、実施の形態１と同様の効果を奏することができるのに加え、さらに、浴室１０の室温が低温の時に入浴者が居室３０から浴室１０へと移動する際にヒートショックになるリスクの軽減を図ることができる。
【００８２】
次に、図１５のフロー図を参照しながら、入浴の事前における居室空調機３００の動作例について説明する。まず、ステップＳ９１において、空調機制御部３０２は、事前空調開始時刻を経過したか否かを確認する。事前空調開始時刻は、例えば、実施の形態１の図６のステップＳ２４で設定された事前暖房開始時刻と同様にして設定される。事前空調開始時刻を経過していれば、処理はステップＳ９２へと進む。
【００８３】
ステップＳ９２においては、浴室室温センサ１０１により検出された浴室１０の室温が前述した基準室温未満であるか否かを確認する。浴室１０の室温が基準室温未満であれば処理はステップＳ９３へと進む。ステップＳ９３においては、空調機制御部３０２による制御の下、居室空調機３００は居室３０の室温を下げる空気調和を実施する。ステップＳ９３の処理が完了すると、一連の動作は終了となる。
【符号の説明】
【００８４】
１０  浴室
１１  浴槽
２０  脱衣室
３０  居室
１００  浴室暖房機
１０１  浴室室温センサ
１０２  暖房機制御部
１１０  暖房機通信部
１２１  ファン
１２２  吹出口
１２３  排気口
２００  給湯装置
２０１  湯温センサ
２０２  湯温制御部
２０３  暖まり推定部
２０４  入浴学習部
２０５  報知制御部
２０６  浸漬検出部
２０７  入浴検知部
２０８  湯温記憶部
２０９  入浴開始時刻記憶部
２１０  給湯装置通信部
２２０  追い焚き配管
２３０  操作表示部
２３１  体温センサ
３００  居室空調機
３０１  居室室温センサ
３０２  空調機制御部
３１０  空調機通信部
３２０  空調機操作部
【図１】
2020190394.tif 000003
【図２】
2020190394.tif 000004
【図３】
2020190394.tif 000005
【図４】
2020190394.tif 000006
【図５】
2020190394.tif 000007
【図６】
2020190394.tif 000008
【図７】
2020190394.tif 000009
【図８】
2020190394.tif 000010
【図９】
2020190394.tif 000011
【図１０】
2020190394.tif 000012
【図１１】
2020190394.tif 000013
【図１２】
2020190394.tif 000014
【図１３】
2020190394.tif 000015
【図１４】
2020190394.tif 000016
【図１５】
2020190394.tif 000017